(57)【要約】【課題】ファクシミリ通信を使用するデータ送信において、ユーザの意図を反映した適切な順番でデータを送信することができる仕組みを提供することを目的とする。【解決手段】ファクシミリ送信の宛先として設定された複数の宛先の送信順番の変更指示をユーザから受け付ける受付手段と、変更指示に基づいて送信順番を変更する変更手段と、変更手段による変更後の送信順番に基づいて、複数の宛先へのファクシミリ送信を行うよう制御する送信処理手段とを有する。【選択図】図１０
2018137525.tif 000002
【特許請求の範囲】
【請求項１】
ファクシミリ送信の宛先として設定された複数の宛先の送信順番の変更指示をユーザから受け付ける受付手段と、
前記変更指示に基づいて前記送信順番を変更する変更手段と、
前記変更手段による変更後の前記送信順番に基づいて、複数の宛先へのファクシミリ送信を行うよう制御する送信処理手段と
を有することを特徴とする画像通信装置。
【請求項２】
ファクシミリ送信の宛先をユーザ操作に基づいて設定する設定手段と、
前記設定手段により設定された宛先の一覧を表示する表示手段と、を更に有し、
前記表示手段は、前記受付手段によって前記変更指示が受け付けられた場合は、前記宛先の表示順序を、前記変更後の送信順番に従って変更することを特徴とする請求項１に記載の画像通信装置。
【請求項３】
前記受付手段は、前記宛先の一覧の中から選択された１つの宛先を先頭に移動させる変更指示を受け付け、
前記変更手段は、前記選択された１つの宛先を先頭に移動させる変更指示を受け付けた場合は、前記選択された１つの宛先が最初に送信する宛先となるよう送信順番を変更することを特徴とする請求項２に記載の画像通信装置。
【請求項４】
前記受付手段は、更に、宛先の一覧の中から選択された１つの宛先の送信を優先する変更指示を受け付け可能であり、
前記変更手段は、前記選択された１つの宛先の送信を優先する変更指示を受け付けた場合は、前記選択された１つの宛先の送信順番と、当該宛先より１つ前に送信する予定の宛先の送信順番とを入れ替えることにより送信順番を変更することを特徴とする請求項２又は３に記載の画像通信装置。
【請求項５】
前記受付手段は、更に、宛先の一覧の中から選択された１つの宛先の送信を後回しにする変更指示を受け付け可能であり、
前記変更手段は、前記選択された１つの宛先の送信を後回しにする変更指示を受け付けた場合は、前記選択された１つの宛先の送信順番と、当該宛先より１つ後に送信する予定の宛先の送信順番とを入れ替えることにより送信順番を変更することを特徴とする請求項２乃至４の何れか１項に記載の画像通信装置。
【請求項６】
画像通信装置が実行する制御方法であって、
ファクシミリ送信の宛先として設定された複数の宛先の送信順番の変更指示をユーザから受け付ける受付ステップと、
前記変更指示に基づいて前記送信順番を変更する変更ステップと、
前記変更ステップにおける変更後の前記送信順番に基づいて、複数の宛先へのファクシミリ送信を行うよう制御する送信処理ステップと
を含むことを特徴とする制御方法。
【請求項７】
コンピュータを、
ファクシミリ送信の宛先として設定された複数の宛先の送信順番の変更指示をユーザから受け付ける受付手段と、
前記変更指示に基づいて前記送信順番を変更する変更手段と、
前記変更手段による変更後の前記送信順番に基づいて、複数の宛先へのファクシミリ送信を行うよう制御する送信処理手段と
として機能させるためのプログラム。
【発明の詳細な説明】
【技術分野】
【０００１】
本発明は、ファクシミリ機能を有する画像通信装置、画像通信装置の制御方法及びプログラムに関する。
【背景技術】
【０００２】
近年、例えばデジタル複写機において、ファクシミリ、プリンタ、電子ファイル、文字認識（ＯＣＲ）等の機能を拡張した複合画像処理システムが提供されている。複合画像処理システムの機能として、送信原稿をメモリに読み込ませてから送信を行うメモリ送信機能が設けられており、操作者は複合機に送信原稿を読み取らせた後、複合機から離れることができる。
【０００３】
また、メモリ送信機能においては、送信中であっても次の送信原稿を読み込ませてメモリに蓄えておき、次の送信予約を行うことができる。そして、送信予約を行う場合の予約ページ数としては、特に上述のような複合機の場合、メモリ容量が大きいことから、例えば１０００ページ以上というような大量原稿の送信予約を行うことも可能となってきている。メモリを大量に搭載し、大量ページの予約が行えるようになってくると、大至急の送信を行いたいときに、大量ページの予約が入っている可能性がある。このため、ジョブが順番待ちとなってしまい、至急の連絡（送信）を行うことができないという問題が生じる。この問題を解決する手段として、特許文献１には、割り込み送信の技術が開示されている。
【先行技術文献】
【特許文献】
【０００４】
【特許文献１】特開平１１―２７５３３５号公報
【発明の概要】
【発明が解決しようとする課題】
【０００５】
しかしながら、大量ページの同一原稿を複数宛先に送る必要がある場合で、送信先の中に至急に連絡（送信）すべき宛先が混ざっているような場合がある。このような場合には、至急の宛先を個別に送信し、その後で至急でない宛先を送信するなど、ユーザが複数回に分けて送信処理を行う必要があり操作性が良くないという問題がある。また、ユーザは、原稿を画像処理装置にセットし直し、再度スキャン処理を行い、至急でない宛先に送信を行わなければならず、スキャン時間分の無駄が生じるという問題もある。
【０００６】
本発明は上記の問題点の少なくとも１つに鑑みなされたもので、ファクシミリ通信を使用するデータ送信において、ユーザの意図を反映した適切な順番でデータを送信することができる仕組みを提供することを目的とする。
【課題を解決するための手段】
【０００７】
そこで、本発明は、画像通信装置であって、ファクシミリ送信の宛先として設定された複数の宛先の送信順番の変更指示をユーザから受け付ける受付手段と、前記変更指示に基づいて前記送信順番を変更する変更手段と、前記変更手段による変更後の前記送信順番に基づいて、複数の宛先へのファクシミリ送信を行うよう制御する送信処理手段とを有することを特徴とする。
【発明の効果】
【０００８】
本発明によれば、ファクシミリ通信を使用するデータ送信において、ユーザの意図を反映した適切な順番でデータを送信することができるようになる。
【図面の簡単な説明】
【０００９】
【図１】システムの全体図である。
【図２】画像処理装置のハードウェア構成図である。
【図３】送信画面の一例を示す図である。
【図４】アドレス帳の一例を示す図である。
【図５】テンキーバッファの一例を示す図である。
【図６】順番テーブルの一例を示す図である。
【図７】送信画面の一例を示す図である。
【図８】順番テーブルの一例を示す図である。
【図９】制御処理を示すフローチャートである。
【図１０】順番変更処理を示すフローチャートである。
【発明を実施するための形態】
【００１０】
以下、本発明を実施するための最良の形態について、図面を用いて説明する。図１は、本実施形態に係るシステムの全体図である。画像形成装置１は、有線ＬＡＮ（Ｌｏｃａｌ  Ａｒｅａ  Ｎｅｔｗｏｒｋ）６を介してＰＣ２や携帯端末装置３と接続する。また、画像形成装置１は、公衆回線（ＰＳＴＮ：Ｐｕｂｌｉｃ  Ｓｗｉｔｃｈｅｄ  Ｔｅｌｅｐｈｏｎｅ  Ｎｅｔｗｏｒｋｓ）９を介して、ファクシミリ装置８へファクス送信する手段を備える。画像形成装置１は、画像通信装置の一例である。
【００１１】
ＰＣ２は、有線ＬＡＮ６とインターネット４を介して画像形成装置１と接続し、ＰＣ２が有する宛先情報を画像形成装置１に送信する。ここで、宛先は、ファクシミリ通信における送信先であり、宛先情報は、１又は複数の宛先を示す情報である。携帯端末装置３は、無線アクセスポイント５が形成する無線ＬＡＮ７を介して、画像形成装置１と接続し、携帯端末装置３が有する宛先情報を画像形成装置１に送信する。
【００１２】
本実施形態において、ＰＣ２及び携帯端末装置３から画像形成装置１への宛先情報の送信は、アプリケーションを介して行うものとする。本アプリケーションは、画像形成装置１と連携するためのアプリケーションであり、ＰＣ２及び携帯端末装置３に事前にインストールされているものとする。このアプリケーションは、ユーザ指示に基づいて、ＰＣ２及び携帯端末装置３のアドレス帳データを、有線ＬＡＮ６を通じて画像形成装置１に転送する。
【００１３】
図２は、本実施形態の画像形成装置１のハードウェア構成図である。画像形成装置１は、ＣＰＵ（Ｃｅｎｔｒａｌ  Ｐｒｏｃｅｓｓｉｎｇ  Ｕｎｉｔ）１０１、ＲＯＭ（Ｒｅａｄ  Ｏｎｌｙ  Ｍｅｍｏｒｙ）１０２、ＲＡＭ（Ｒａｎｄｏｍ  Ａｃｃｅｓｓ  Ｍｅｍｏｒｙ）１０３を備えている。ＣＰＵ１０１は、画像形成装置１全体の動作を制御する。また、画像形成装置１は各部と協働するための、ファクシミリＩ／Ｆ（インタフェース）１０４、操作・表示Ｉ／Ｆ１０５、スキャナＩ／Ｆ１０６、プリンタＩ／Ｆ１０７、ネットワークＩ／Ｆ１０８を備える。各Ｉ／Ｆは、画像形成装置１とモデム１１０、操作部１１１、スキャナ１１２、プリンタ１１３、ＮＩＣ（Ｎｅｔｗｏｒｋ  Ｉｎｔｅｒｆａｃｅ  Ｃａｒｄ）１１４を通信可能に接続する。
【００１４】
画像形成装置１は、ファクシミリＩ／Ｆ１０４を介してモデム１１０を制御することで、公衆回線（ＰＳＴＮ）９と接続し、ファクシミリ装置８との間でファクシミリ情報を送受信する。画像形成装置１は、更に、ネットワークＩ／Ｆ１０８を介してＮＩＣ１１４を制御することで、インターネット４に接続する。
【００１５】
ＣＰＵ１０１は、画像形成装置１の全体の動作を制御する。ＣＰＵ１０１は、ＲＯＭ１０２に記憶されているプログラムに従って、システムバス１０９に接続される各デバイスを総括的に制御する。ＲＯＭ１０２は、操作・表示Ｉ／Ｆ１０５に表示する各種フォントやアイコン等のビットマップ、ＣＰＵ１０１により実行される制御プログラム等、各種データを記憶している。ＲＯＭ１０２は、ＮＶＲＡＭ（Ｎｏｎ−ｖｏｌａｔｉｌｅ  ＲＡＭ：不揮発性ＲＡＭ）領域も備えており、突然の電源ＯＦＦが発生した場合でも、ファクス情報の消失が発生しないように構成されている。
【００１６】
ＲＡＭ１０３は、ＣＰＵ１０１の主メモリ、ＣＰＵ１０１により実行される制御プログラムの作業メモリ等として機能すると共に、電源ＯＦＦで初期化が可能な画像情報の蓄積領域としても用いられる。電源ＯＦＦで初期化が可能な画像情報とは、コピー用の画像などを指す。なお、後述する画像形成装置１の機能や処理は、ＣＰＵ１０１がＲＯＭ１０２に格納されているプログラムを読み出し、このプログラムを実行することにより実現されるものである。
【００１７】
なお、本実施形態では、画像形成装置１は、１つのプロセッサ（ＣＰＵ１０１）が１つのメモリ（ＲＯＭ１０２）を用いて後述するフローチャートに示す各処理を実行するものとするが、他の様態であっても構わない。例えば複数のプロセッサや複数のＲＡＭ、ＲＯＭ及びストレージを協働させて後述するフローチャートに示す各処理を実行することもできる。また、ハードウェア回路を用いて一部の処理を実行するようにしても良い。
【００１８】
ファクシミリＩ／Ｆ１０４は、モデム１１０を介して公衆回線（ＰＳＴＮ）９に接続されており、この公衆回線９を使用して他のファクシミリ装置８等とファクシミリ情報の送受信が可能である。なお、ファクシミリ装置８などとやり取りするファクシミリ情報は、ＲＯＭ１０２のＮＶＲＡＭの中に格納される。ＲＯＭ１０２のＮＶＲＡＭの中に格納されるファクシミリ情報としては、スキャナＩ／Ｆ１０６でスキャンした送信原稿や、ファクシミリ装置８などから公衆回線（ＰＳＴＮ）９を介して受信したファクシミリ原稿、宛先情報等である。
【００１９】
操作部１１１は、操作・表示Ｉ／Ｆ１０５を介して、ユーザの指示を受け付ける受付部として機能する。また、必要に応じて装置の状態や操作画面などを表示する表示部として機能する。スキャナＩ／Ｆ１０６は、スキャナ１１２を制御して、指定されたモード（例えば、紙サイズ、解像度、濃度等）で原稿をスキャンする。スキャナ１１２は、原稿を読み取って画像を生成する。スキャナ１１２が原稿を読み取ることにより得られた画像は、ＲＡＭ１０３に転送され、後述するファクシミリ通信で外部の宛先に送信される。また、画像形成装置１は、スキャナ１１２が原稿を読み取ることにより得られた画像を、プリンタ１１３でシートに印刷するコピー機能を実行することもできる。
【００２０】
プリンタＩ／Ｆ１０７は、プリンタ１１３を制御して、外部装置からファクシミリ通信画像で受信したファクシミリ原稿などを、シートに印刷する。また、外部から受信した印刷データに基づいて、シートに印刷を行うこともできる。ネットワークＩ／Ｆ１０８は、ＮＩＣ１１４を備え、ネットワーク（Ｉｎｔｅｒｎｅｔ）４に接続し、有線ＬＡＮ６や無線ＬＡＮ７を介してＰＣ２や携帯端末装置３との間でのデータの送受信を制御する。
【００２１】
図３は、ファクシミリの送信画面３００の一例を示す図である。送信画面３００は、画像形成装置１の操作部１１１に表示される。図３（Ａ）に示す送信画面３００は、ファクシミリの送信先である宛先と、送信画像をスキャンするための設定を行う画面である。宛先リスト３０２は、ファクシミリ送信先に設定した宛先の一覧をリスト形式で表示する領域である。宛先リスト３０２に表示される宛先は、ファクシミリ番号を示す電話番号である。宛先リスト３０２には、送信順番の早い順に宛先が表示される。このように、ＣＰＵ１０１は、宛先リスト３０２を表示部としての操作部１１１に表示するよう制御する。本処理は、送信順番に従い複数の宛先が配置された宛先リストを表示するよう制御する表示処理の一例である。
【００２２】
「モバイルから宛先指定」のボタン３０３は、ファクシミリの宛先を、図１に示したＰＣ２や携帯端末装置３から設定する場合に使用する指示ボタンである。「アドレス帳から宛先指定」のボタン３０４は、図４で示すアドレス帳から送信先を選択するための指示ボタンである。ボタン３０４が選択されると、後述のアドレス帳に登録された宛先がリスト表示される。ユーザは、表示されたリストの中から所望の宛先を選択することができる。
【００２３】
「先頭に移動」のボタン３０５は、宛先リスト３０２において選択中の状態の宛先の送信順番を先頭に移動するための指示を受け付けるための指示ボタンである。「１つ上に移動」のボタン３０６は、宛先リスト３０２において選択中の状態の宛先の送信順番を１つ前の送信順番に変更するための指示を受け付けるための指示ボタンである。「１つ下に移動」のボタン３０７は、宛先リスト３０２において選択中の状態の宛先の送信順番を１つ後の送信順番に変更するための指示を受け付けるための指示ボタンである。
【００２４】
「削除」のボタン３０８は、宛先リスト３０２において選択中の状態の宛先を宛先リスト３０２から削除する指示を受け付けるための指示ボタンである。「その他の設定」のボタン３０９は、領域３１０に示す、原稿の各種スキャン設定を変更するための指示ボタンである。領域３１０は、送信画像をスキャンする設定内容を表示する部分である。
【００２５】
図３（Ｂ）は、図３（Ａ）の送信画面３００の宛先リスト３０２に５件の宛先が入力された場合の送信画面３００の表示例を示す図である。図３（Ｂ）においては、宛先情報３２０がユーザにより選択された状態にあるものとする。画像形成装置１は、このように送信順番を変更したい宛先が選択された状態で、さらにボタン３０５〜３０７が選択されると、選択された宛先の送信順番を変更する。
【００２６】
図４は、アドレス帳４００の一例を示す図である。アドレス帳４００は、画像形成装置１のＲＯＭ１０２に記憶されている。図４のアドレス帳４００には、１００件の宛先情報が格納されている。アドレス帳４００には、番号４０２と、登録の種類４０３と、宛先の形式４０４と、宛先名称４０５と、ファクシミリ（ＦＡＸ）番号４０６と、が対応付けて記憶されている。番号４０２は、アドレスを管理するための通し番号（インデックスとも呼ぶ）である。登録の種類４０３は、ワンタッチや短縮ダイヤル等である。宛先名称４０５は、宛先として表示される情報である。ＦＡＸ番号４０６は、宛先としてのＦＡＸ番号である。
【００２７】
図５は、テンキーバッファ５００の一例を示す図である。テンキーバッファ５００は、画像形成装置１のＲＯＭ１０２に記憶されている。図５の例では、５０１で示す番号１〜１０までの１０件を、テンキー用のバッファ５０２に格納する。テンキーバッファ５００は、送信画面３００で、テンキー（図示省略）を用いてユーザが入力したファクシミリの送信宛先を一時的に記憶するために用いられる。また、テンキーバッファ５００は、ＰＣ２や携帯端末装置３のアドレス帳の宛先情報を受信し、送信先アドレスとして記憶する領域としても用いられる。
【００２８】
図６は、順番テーブル６００の一例を示す図である。順番テーブル６００は、画像形成装置１のＲＯＭ１０２に記憶されている。順番テーブル６００は、ファクシミリ通信における送信順番を記憶する。送信順番６０１は、ファクシミリ通信における送信順番である。格納場所６０２は、宛先情報の格納場所を示す情報である。本実施形態においては、テンキーバッファ５００の１０件の宛先情報と、図４を参照しつつ説明したアドレス帳４００の宛先情報の格納場所が格納場所６０２として指定される。なお、図３に示す送信画面３００の宛先リスト３０２には、送信順番６０１と同じ表示順番で宛先情報が表示される。
【００２９】
図７は、図３の送信画面３００において、送信順番が変更された後の送信画面３００の表示例を示す図である。図３（Ｂ）の送信画面３００において、宛先情報３２０が選択された状態で、ユーザ操作に応じて「先頭に移動」のボタン３０５が選択された場合に、送信画面３００は図７のように変化する。すなわち、宛先リスト３０２において、宛先情報３２０が先頭に表示される。また、この場合、画像形成装置１は、図８に示すように宛先情報３２０に対応する格納場所の情報８００を、順番テーブル６００の先頭に移動する。さらに、画像形成装置１は、これに伴い、順番テーブル６００の先頭の格納場所の情報を２番目に、２番目の格納場所の情報を３番目に移動する。
【００３０】
図９は、画像形成装置１による制御処理を示すフローチャートである。制御処理は、画像形成装置１の起動時に表示される、図示省略のメニュー画面において、ユーザによってファクシミリ機能が選択されたことに応じて開始する。なお、制御処理は、画像形成装置１のＣＰＵ１０１がＲＯＭ１０２に記憶された制御プログラムを実行することにより実現される処理である。
【００３１】
Ｓ１０１において、ＣＰＵ１０１は、宛先入力が行われたか否かを確認する。ＣＰＵ１０１は、宛先入力が行われた場合には（Ｓ１０１でＹｅｓ）、処理をＳ１０２へ進める。ＣＰＵ１０１は、宛先入力が行われていない場合には（Ｓ１０１でＮｏ）、処理をＳ１１２へ進める。Ｓ１１２において、ＣＰＵ１０１は、ユーザ操作に応じたその他の処理を行う。ここで、その他の処理は、宛先入力以外の処理であり、例えば、図３の送信画面３００の「その他の設定」のボタン３０９が選択された場合に行う制御処理等が挙げられる。
【００３２】
Ｓ１０２において、ＣＰＵ１０１は、テンキー入力による新規の宛先の指定か否かを確認する。ＣＰＵ１０１は、新規の宛先の指定の場合には（Ｓ１０２でＹｅｓ）、処理をＳ１０４へ進める。ＣＰＵ１０１は、新規の宛先の指定でない場合には（Ｓ１０２でＮｏ）、処理をＳ１０３へ進める。Ｓ１０３において、ＣＰＵ１０１は、ＰＣ２や携帯端末装置３が有するアドレス帳に登録された宛先情報をファクシミリ送信の宛先情報として受信したか否かを確認する。本実施形態の画像形成装置１は、図３の送信画面３００の「モバイルから宛先指定」のボタン３０３を押下することで、ＰＣ２や携帯端末装置３から宛先情報を受信するものとする。なお、ＰＣ２や携帯端末装置３上でのファクシミリ送信先の指定操作は、ＰＣ２や携帯端末装置３にインストールされた連携用アプリケーションにより行われるものとする。ＣＰＵ１０１は、宛先情報を受信した場合には（Ｓ１０３でＹｅｓ）、処理をＳ１０４へ進める。ＣＰＵ１０１は、宛先情報を受信していない場合には（Ｓ１０３でＮｏ）、処理をＳ１０７へ進める。
【００３３】
Ｓ１０４において、ＣＰＵ１０１は、テンキーバッファ５００に空きがあるか否かを確認する。ＣＰＵ１０１は、テンキーバッファ５００に空きがある場合には（Ｓ１０４でＹｅｓ）、処理をＳ１０５へ進める。ＣＰＵ１０１は、テンキーバッファ５００に空きがない場合には（Ｓ１０４でＮｏ）、処理をＳ１０６へ進める。Ｓ１０５において、ＣＰＵ１０１は、Ｓ１０２又はＳ１０３において取得した宛先情報を、図５に示すテンキーバッファ５００に格納する。さらに、ＣＰＵ１０１は、図６に示す順番テーブル６００において、有効データの最後に、格納場所（テンキーバッファの番号）を記録し、その後処理をＳ１１３へ進める。Ｓ１０６において、ＣＰＵ１０１は、テンキーバッファ５００に空きがなく、バッファの上限超えエラーが発生したことを、操作部１１１に表示する。さらに、ＣＰＵ１０１は、取得した宛先情報を破棄し、その後処理をＳ１１３へ進める。
【００３４】
Ｓ１０７において、ＣＰＵ１０１は、送信画面３００の「アドレス帳から宛先指定」のボタン３０４による宛先指定か否かを確認する。ＣＰＵ１０１は、アドレス帳からの宛先指定の場合には（Ｓ１０７でＹｅｓ）、処理をＳ１０８へ進める。ＣＰＵ１０１は、アドレス帳からの宛先指定でない場合には（Ｓ１０７でＮｏ）、処理をＳ１０９へ進める。Ｓ１０８において、ＣＰＵ１０１は、図４に示すアドレス帳４００を操作部１１１に表示するよう制御する。そして、ＣＰＵ１０１は、アドレス帳４００において、ユーザから送信先の選択指示を受け付ける。そして、ＣＰＵ１０１は、順番テーブル６００の有効データの最後に、選択指示に係る宛先情報の格納場所（アドレス帳の番号）を記録し、その後処理をＳ１１３へ進める。
【００３５】
Ｓ１０９において、ＣＰＵ１０１は、「先頭に移動」のボタン３０５、「１つ上に移動」のボタン３０６及び「１つ下に移動」のボタン３０７のうちいずれかのボタン操作が行われたか否かを確認する。すなわち、ＣＰＵ１０１は、送信順番の変更に係る指示（変更指示）を受け付けたか否かを確認する。本処理は、変更指示を受け付ける受付処理の一例である。ＣＰＵ１０１は、いずれかのボタン操作が行われた場合には（Ｓ１０９でＹｅｓ）、処理をＳ１１０へ進める。ＣＰＵ１０１は、いずれのボタン操作も行われていない場合には（Ｓ１０９でＮｏ）、処理をＳ１１１へ進める。
【００３６】
Ｓ１１０において、ＣＰＵ１０１は、送信順番の変更に係る指示に従い、ファクシミリ送信に係る送信順番の変更の処理を行う。本処理については、図１０を参照しつつ後述する。ＣＰＵ１０１は、Ｓ１１０の処理の後、処理をＳ１１３へ進める。Ｓ１１１において、ＣＰＵ１０１は、その他の処理を行う。Ｓ１１１において、ＣＰＵ１０１は例えば「削除」のボタン３０８に対応し、削除に係る処理を行う。ＣＰＵ１０１は、Ｓ１１１の処理の後、処理をＳ１１３へ進める。
【００３７】
Ｓ１１３において、ＣＰＵ１０１は、ユーザ操作に応じて送信開始の指示を受け付けたか否かを確認する。ＣＰＵ１０１は、送信開始の指示を受け付けた場合には（Ｓ１１３でＹｅｓ）、処理をＳ１１４へ進める。ＣＰＵ１０１は、送信開始の指示を受け付けなかった場合には（Ｓ１１３でＮｏ）、処理をＳ１０１へ進める。Ｓ１１４において、ＣＰＵ１０１は、設定された宛先に対し、ファクシミリ送信を行うよう制御する。本処理は、送信処理の一例である。具体的には、ＣＰＵ１０１は、スキャナ１１２と協働して、原稿をスキャンして画像データを生成し、ＲＡＭ１０３に格納する。そして、ＣＰＵ１０１は、モデム１１０と協働して、設定された宛先に対して画像データをファクシミリ送信する。前述の宛先設定処理により、複数の宛先がセットされている場合、ＣＰＵ１０１は、図８で説明した順番テーブル６００に基づいて、順番に送信処理を行う。なお、ＣＰＵ１０１は、２件目以降の宛先には、ＲＡＭ１０３に格納された画像データに基づいて送信処理を行うものとする。設定されたすべての宛先への送信を行うと、一連の処理を終了する。
【００３８】
なお、本実施形態では、画像形成装置１が１つの回線でファクシミリ通信を行う場合を例示しているがこれに限定されるものではない。例えば、複数の回線を使用して同時に２つ以上のファクシミリ通信を行える場合は、複数の宛先と並列してファクシミリ通信を確立して、画像データを送信するようにしてもよい。この場合、データ送信が完了し、回線が空き次第、順番テーブルを参照して次の宛先へのファクシミリ送信を開始するようにする。
【００３９】
図１０は、図９を参照しつつ説明した順番変更処理（Ｓ１１０）における詳細な処理を示すフローチャートである。順番変更処理により、順番テーブル６００に格納されている格納場所及び宛先リスト３０２に表示されている宛先情報の順番が変更される。Ｓ２０１において、ＣＰＵ１０１は、図３の送信画面３００において、「１つ上に移動」のボタン３０６が選択されたか否かを確認する。ＣＰＵ１０１は、ボタン３０６が選択された場合には（Ｓ２０１でＹｅｓ）、処理をＳ２０２へ進める。ＣＰＵ１０１は、ボタン３０６が選択されていない場合には（Ｓ２０１でＮｏ）、処理をＳ２０３へ進める。
【００４０】
Ｓ２０２において、ＣＰＵ１０１は、選択中の宛先情報３２０に対する格納場所を順番テーブル６００において特定し、この格納場所の送信順番が１つ前の順番になるよう並び替えを行う。さらに、ＣＰＵ１０１は、宛先情報３２０の宛先リスト３０２における表示順も１つ前の順番になるよう並び替えを行う。すなわち、ＣＰＵ１０１は、表示順序を送信順番の変更に応じて変更する。従って、「１つ上に移動」ボタンを介したユーザ操作により、選択中の宛先より先に送信される予定の宛先より、優先して送信できるようになる。以上で、順番変更処理が終了する。
【００４１】
Ｓ２０３においては、ＣＰＵ１０１は、「１つ下に移動」のボタン３０７が選択されたか否かを確認する。ＣＰＵ１０１は、ボタン３０７が選択された場合には（Ｓ２０３でＹｅｓ）、処理をＳ２０４へ進める。ＣＰＵ１０１は、ボタン３０７が選択されていない場合には（Ｓ２０３でＮｏ）、処理をＳ２０５へ進める。なお、ボタン３０７が選択されていない場合とは、「先頭に移動」のボタン３０５が選択されている場合である。すなわち、ＣＰＵ１０１は、「先頭に移動」のボタン３０５が選択された場合には、処理をＳ２０５へ進める。
【００４２】
Ｓ２０４において、ＣＰＵ１０１は、選択中の宛先情報３２０に対する格納場所を順番テーブル６００において特定し、この格納場所の送信順番が１つ後の順番になるよう並び替えを行う。さらに、ＣＰＵ１０１は、宛先情報３２０の宛先リスト３０２における表示順も１つ後の順番になるよう並び替えを行う。従って、「１つ下に移動」ボタンを介したユーザ操作により、選択中の宛先の送信を１つ後ろに後回しすることができる。以上で、順番変更処理が終了する。
【００４３】
Ｓ２０５において、ＣＰＵ１０１は、選択中の宛先情報３２０に対する格納場所を順番テーブル６００において特定し、この格納場所の送信順番が先頭（１番）になるよう並び替えを行う。さらに、ＣＰＵ１０１は、宛先情報３２０の宛先リスト３０２における表示順も先頭になるよう並び替えを行う。従って、「先頭に移動」ボタンを介したユーザ操作により、選択中の宛先の送信を１番に行なうことができるようになる。以上で、順番変更処理が終了する。なお、Ｓ２０２、Ｓ２０４およびＳ２０５の処理は、送信順番を変更する変更処理の一例である。Ｓ２０２、Ｓ２０４およびＳ２０５の処理はまた、変更後の送信順番に従い宛先リスト３０２を更新する更新処理の一例である。
【００４４】
以上のように、本実施形態の画像形成装置１は、送信予約の後又は送信予約中において、宛先リストの中から、優先して送信を行いたい宛先（送信先）に対し、最初にファクシミリ送信を行うことができる。画像形成装置１は、さらには、データをファクシミリ通信において、適切な順番でデータを送信することができる。また、このように適切な順番でデータを送信することができるため、ジョブ分割や複数回の原稿スキャンといった無駄をなくすことが可能になる。
【００４５】
なお、実施形態の変形例としては、画像形成装置１は、送信予約が完了した送信実行待ちのジョブリストから、宛先の順番を変更するジョブを選択し、その選択したジョブの宛先の送信順番を変更できるようにしてもよい。
【００４６】
以上、本発明の好ましい実施形態について詳述したが、本発明は係る特定の実施形態に限定されるものではなく、特許請求の範囲に記載された本発明の要旨の範囲内において、種々の変形・変更が可能である。
【００４７】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４８】
１  画像形成装置
１０１  ＣＰＵ
１０２  ＲＯＭ
１０４  ファクシミリＩ／Ｆ
１１１  操作部
【図１】
2018137525.tif 000003
【図２】
2018137525.tif 000004
【図３】
2018137525.tif 000005
【図４】
2018137525.tif 000006
【図５】
2018137525.tif 000007
【図６】
2018137525.tif 000008
【図７】
2018137525.tif 000009
【図８】
2018137525.tif 000010
【図９】
2018137525.tif 000011
【図１０】
2018137525.tif 000012